(57)【要約】【課題】被検出物体が接近していないにも関わらず、表示装置を消灯させてしまうことを防止できるようにする。【解決手段】表示制御装置に物体が近付いたことを検知するための近接検知手段と、外乱光の明るさを検出する照度検出手段と、前記近接検知手段から近接検知信号が出力され、かつ前記照度検出手段によって検出された外乱光の照度が所定の値以下の場合、前記表示装置を消灯状態にし、前記近接検知手段から近接検知信号が出力され、かつ前記照度検出手段によって検出された外乱光の照度が所定の値より大きかった場合、及び前記近接検知手段から近接検知信号が出力されていない場合は、前記表示装置を点灯状態にする制御手段とを設け、外乱光に含まれる赤外成分が多くなることにより発生する誤検知を防止できるようにする。【選択図】図４
2013125196.tif 000002
【特許請求の範囲】
【請求項１】
表示装置を備える表示制御装置であって、
前記表示制御装置に物体が近付いたことを検知するための近接検知手段と、
外乱光の明るさを検出する照度検出手段と、
前記近接検知手段から近接検知信号が出力され、かつ前記照度検出手段によって検出された外乱光の照度が所定の値以下の場合、前記表示装置を消灯状態にし、前記近接検知手段から近接検知信号が出力され、かつ前記照度検出手段によって検出された外乱光の照度が所定の値より大きかった場合、及び前記近接検知手段から近接検知信号が出力されていない場合は、前記表示装置を点灯状態にする制御手段と、
を有することを特徴とする表示制御装置。
【請求項２】
表示装置を備える表示制御装置であって、
前記表示制御装置に物体が近付いたことを検知すると近接検知信号を出力する近接検知手段と、
外乱光の明るさを検出する照度検出手段と、
前記照度検出手段によって検出された外乱光の照度が所定の値以下の場合に、前記近接検知手段による近接検知動作を行い、前記照度検出手段によって検出された外乱光の照度が所定の値より大きい場合は、前記近接検知手段による近接検知動作を行わないようにする制御手段と、
を有することを特徴とする表示制御装置。
【請求項３】
前記近接検知手段は、赤外光を照射する照射手段と、被検出物体で反射した赤外光を受光するための受光手段とを有し、該受光手段で閾値より大きい赤外光を受光すると前記近接検知信号を出力することを特徴とする請求項１または２に記載の表示制御装置。
【請求項４】
前記表示制御装置は、撮像手段とファインダーとを有する撮像装置であって、
前記近接検知手段は、前記ファインダーに顔が近づいたことを検知するためのものであることを特徴とする請求項１〜３の何れか１項に記載の表示制御装置。
【請求項５】
前記表示制御装置は、通話用スピーカーを有する電話端末であって、
前記近接検知手段は、通話用スピーカーに耳が近づいたことを検知するためのものであることを特徴とする請求項１〜３の何れか１項に記載の表示制御装置。
【請求項６】
前記照度検出手段によって検出された照度に応じて前記表示装置の輝度を調整する調整手段を更に有することを特徴とする請求項１〜５の何れか１項に記載の表示制御装置。
【請求項７】
前記表示装置は、前記表示制御装置を構成する他方の筐体に対して開閉自在に取り付けられており、
前記照度検出手段で検出された照度に応じて前記表示装置が開状態であるか閉状態であるかを判別する判別手段を更に有することを特徴とする請求項１〜６の何れか１項に記載の表示制御装置。
【請求項８】
前記表示装置に対するタッチ入力を検出するタッチ検出手段をさらに有し、前記制御手段は、前記近接検知手段から近接検知信号が出力されたことに応じて前記表示装置を消灯状態とした場合に、前記表示装置に対するタッチ入力を受け付けないように制御することを特徴とする請求項１〜７の何れか１項に記載の表示制御装置。
【請求項９】
表示装置を備える表示制御装置の制御方法であって、
前記表示制御装置に物体が近付いたことを検知するための近接検知工程と、
外乱光の明るさを検出する照度検出工程と、
前記近接検知工程から近接検知信号が出力され、かつ前記照度検出工程において検出された外乱光の照度が所定の値以下の場合、前記表示装置を消灯状態にし、前記近接検知工程から近接検知信号が出力され、かつ前記照度検出工程において検出された外乱光の照度が所定の値より大きかった場合、及び前記近接検知工程から近接検知信号が出力されていない場合は、前記表示装置を点灯状態にする制御工程と、
を有することを特徴とする表示制御装置の制御方法。
【請求項１０】
表示装置を備える表示制御装置の制御方法をコンピュータに実行させるプログラムであって、
前記表示制御装置に物体が近付いたことを検知するための近接検知工程と、
外乱光の明るさを検出する照度検出工程と、
前記近接検知工程から近接検知信号が出力され、かつ前記照度検出工程において検出された外乱光の照度が所定の値以下の場合、前記表示装置を消灯状態にし、前記近接検知工程から近接検知信号が出力され、かつ前記照度検出工程において検出された外乱光の照度が所定の値より大きかった場合、及び前記近接検知工程から近接検知信号が出力されていない場合は、前記表示装置を点灯状態にする制御工程と、
をコンピュータに実行させることを特徴とするプログラム。
【請求項１１】
請求項１０に記載のプログラムを記憶したことを特徴とするコンピュータ読み取り可能な記憶媒体。
【発明の詳細な説明】
【技術分野】
【０００１】
本発明は、表示制御装置及び表示制御装置の制御方法に関し、特に、物体が接近した場合に表示装置を消灯する表示制御装置に関するものである。
【背景技術】
【０００２】
従来、撮像装置においては、ユーザーがファインダーを使用しているかどうかを判別するために近接検知装置を備えたものが知られている。近接検知装置の概略構成としては、投光部と受光部とを備え、投光部から赤外光を発し、受光部に到達した反射赤外光の量に応じて近接物体の有無を判別するものが一般的に知られている。
【０００３】
例えば、特許文献１で提案された撮像装置においては、一眼レフレックスタイプのデジタルカメラにおける省電力化を目的とした技術が提案されている。特許文献１においては、近接検知装置によってユーザーがファインダーを使用していることが検知された場合、背面の表示装置のバックライトを消灯するようにしている。
【０００４】
また、携帯電話端末では、装置を耳に近付けて通話している状況では、ユーザーは表示部（表示装置）を見る必要がないため、表示部の照明を点けたままとしていると電力を無駄に浪費することになる。また、頭部（耳）に近付けた携帯電話端末の表示部が発光していると眩しい場合があるという課題もある。
【０００５】
これに対し、特許文献２で提案された携帯電話機の表示制御方法においては、携帯電話機が耳に近づいたことを検知した場合には表示部および／又は操作部のバックライトをＯＦＦ（遮断）して不要な電力消費を回避する表示制御方法が開示されている。
【先行技術文献】
【特許文献】
【０００６】
【特許文献１】特開２００８−２５８９６９号公報
【特許文献２】特開２００５−２７８０４３号公報
【発明の概要】
【発明が解決しようとする課題】
【０００７】
しかしながら、前述の特許文献１、２によって開示された従来技術では、照度の大きい外乱光下での誤動作が懸念される。例えば、外乱光の照度が大きい場合、外乱光に含まれる赤外成分も多くなるため、近接検知装置が誤検知を起こす可能性がある。このような誤検知を起こした場合には、ユーザーがファインダーを覗くための目や通話を行うための耳を撮像装置や携帯電話機に接近させていないにも関わらず表示装置のバックライトを消灯してしまう問題点があった。
本発明は前述の問題点に鑑み、被検出物体が接近していないにも関わらず、表示装置を消灯させてしまうことを防止できるようにすることを目的とする。
【課題を解決するための手段】
【０００８】
本発明の表示制御装置は、表示装置を備える表示制御装置であって、前記表示制御装置に物体が近付いたことを検知するための近接検知手段と、外乱光の明るさを検出する照度検出手段と、前記近接検知手段から近接検知信号が出力され、かつ前記照度検出手段によって検出された外乱光の照度が所定の値以下の場合、前記表示装置を消灯状態にし、前記近接検知手段から近接検知信号が出力され、かつ前記照度検出手段によって検出された外乱光の照度が所定の値より大きかった場合、及び前記近接検知手段から近接検知信号が出力されていない場合は、前記表示装置を点灯状態にする制御手段とを有することを特徴とする。
【発明の効果】
【０００９】
本発明によれば、被検出物体が接近していないにも関わらず、表示装置を消灯させてしまうことを防止することが可能になる。
【図面の簡単な説明】
【００１０】
【図１】本発明の実施形態における撮像装置の構成例を示すブロック図である。
【図２】本発明の実施形態における撮像装置の背面の構成を説明する図である。
【図３】本発明の実施形態における近接検知装置の構成例を示すブロック図である。
【図４】照度を加味した近接検知処理の手順を説明するフローチャートである。
【図５】近接検知信号と照度値に応じた表示装置の点灯状態を示す図である。
【図６】第２の実施形態で、省電力も加味した処理を説明するフローチャートである。
【図７】第３の実施形態を示し、携帯電話に適用した例を説明する図である。
【発明を実施するための形態】
【００１１】
以下に、本発明の好ましい実施形態を、添付の図面に基づいて詳細に説明する。
図１は、本発明の実施形態に係る表示装置を備える撮像装置の内部構成の一例を示すブロック図である。また、図２は本発明の実施形態にかかわる撮像装置の背面の構成を説明する図である。
【００１２】
図１において、１０１は撮像素子であり、レリーズスイッチ１０７を押すことで、図示されていないレンズなどを介して結像された被写体の光学像を電気信号に変換する。１０２は撮像素子１０１から出力されるアナログ信号をデジタル信号に変換するＡ／Ｄ変換部である。Ａ／Ｄ変換部１０２によりＡ／Ｄ変換されたデジタル信号は、メモリ制御部１０４及びシステム制御部１０５により制御され、メモリ１０６に格納される。
【００１３】
１０３は画像処理部であり、デジタル信号のデータ或いはメモリ制御部１０４によりメモリ１０６から読み出されたデータに対して所定の画素補間処理や色変換処理を行う。１０４はメモリ制御部であり、Ａ／Ｄ変換部１０２、画像処理部１０３、システム制御部１０５、メモリ１０６、表示装置１１１間のデータの送受を制御する。システム制御部１０５は撮像装置１００の全体動作を制御する。
【００１４】
メモリ１０６には、システム制御部１０５のプログラムスタック領域、ステータス記憶領域、演算用領域、ワーク用領域、画像表示データ用領域が確保されている。各種の演算は、メモリ１０６の演算用領域を利用し、システム制御部１０５により実行される。
【００１５】
１０８はモードダイアルであり、自動撮影、プログラム撮影、シャッター速度優先撮影、絞り優先撮影、マニュアル撮影、ポートレート撮影、風景撮影、スポーツ撮影、夜景撮影、動画撮影等の各機能撮影モードを切り替え設定することができる。
【００１６】
１０９はシステム制御部１０５の各種の動作指示を入力するための各種操作部であり、スイッチやダイアル、タッチパネル、視線検知によるポインティング、音声認識装置等の単数或いは複数の組み合わせで構成される。
【００１７】
１１０は電気的に消去・記録可能な不揮発性メモリであり、例えばフラッシュメモリやEEPROM等が用いられる。不揮発性メモリ１１０には、撮影状態の保存や、撮像装置１００を制御するプログラム等が格納されている。１１６はコンパクトフラッシュ(登録商標）やＳＤカードといった記録媒体に画像ファイル記録や読出を行うための外部着脱メモリ部である。
【００１８】
１１１は液晶ディスプレイ型の表示装置であり、システム制御部１０５の指示により、メモリ１０６の画像表示データ用領域に格納されたメニュー画面、または外部着脱メモリ部１１６に格納された静止画／動画ファイルを表示するために用いられる。表示装置１１１は静止画／動画ファイルを表示する液晶パネル表示部１１２と、液晶パネル表示部１１２を背後から照射するバックライト照明部１１３とで構成される。１１４は物体が近付いたことを検知すると近接検知信号を出力する近接検知装置である。本実施形態の撮像装置１００の近接検知装置１１４は、図３に示すように構成されている。さらに、表示装置１１１に重ねてタッチ検出センサを配置し、表示装置１１１がタッチパネルとして機能するように構成する。
【００１９】
図３において、３０１はインターフェイスであり、撮像装置１００のシステム制御部１０５と近接検知装置１１４との制御、検出結果通知などを行うために用いられる。３０２は赤外発光素子であり、赤外発光レンズ窓３０３より所定の光量の赤外光を照射する。３０５は受光素子であり、赤外発光レンズ窓３０３より照射された赤外光が被検出物体３０７で反射し、その反射分散した赤外光を受光レンズ窓３０４で集光し、受光素子３０５で光電変換を行う。
【００２０】
検出判定手段３０６によって、受光素子３０５で光電変換された電圧値を所定の閾値と比較し、光電変換された電圧値が所定の閾値より大きい場合、近接検知信号を出力する。その後、光電変換された電圧値が所定の閾値以下となった場合は離顔検知信号を出力する。
【００２１】
図２に示した１１５は、外乱光の照度を検出する照度検出装置である。照度検出装置１１５は、図示しない受光レンズ窓を通して受光素子が受光した光を光電変換することによって、外乱光の照度の大きさを検出する。
【００２２】
本実施形態において、近接検知装置１１４及び照度検出装置１１５はともに、ファインダー２０１への接眼検知、及びファインダー２０１周辺の照度検出に用いるため、図２に示すように、ファインダー２０１の付近に設置した構成とするのが望ましい。
【００２３】
（第１の実施形態）
以下、図４のフローチャートを参照して、本発明の第１の実施形態の撮像装置１００の近接検知動作について説明する。第１の実施形態においては、外乱光の影響で近接検知装置１１４が誤動作した際の表示装置誤消灯防止の手法について説明する。図４の処理は、不揮発性メモリ１１０に記録されたプログラムを、メモリ１０６に展開してシステム制御部１０５が実行することにより実現する。
【００２４】
Ｓ４０１では、システム制御部１０５は、近接検知装置１１４、照度検出装置１１５を制御し、近接検出動作、及び照度検出動作を開始する。
Ｓ４０２では、システム制御部１０５は、近接検知装置１１４から近接検知信号が出力されたかどうかを判定する。ここで、近接検知信号が出力された場合はＳ４０３へ進み、近接検知信号が出力されていない場合は近接検出動作を続行する。
【００２５】
Ｓ４０３では、システム制御部１０５は、照度検出装置１１５によって検出された照度値を取得し、メモリ１０６に格納する。Ｓ４０２において、近接検知装置１１４から近接検知信号が出力されたと判定した場合でも、実際にファインダー２０１を使用しているかは正確には判定できない。近接検知装置１１４は、照射した赤外光の反射光の量で検知信号の出力を制御している。しかし、外乱光の照度が大きいと外乱光に含まれる赤外成分が大きくなるため、ファインダー２０１を使用していない状態でも近接検知装置１１４の受光素子３０５が受光した赤外光の量が閾値を越えてしまい、近接検知信号を出力してしまう可能性がある。そのため、本実施形態においては近接検知信号の有無だけでなく照度値も加味してファインダー２０１を使用しているかどうかの判断を行うため、Ｓ４０３で照度値を取得する。
【００２６】
Ｓ４０４では、システム制御部１０５は、Ｓ４０３で取得した照度値が所定の閾値以下であるか否かを判定する。ここで、照度値が所定の閾値以下であった場合はファインダー２０１の使用によって照度検出装置１１５への光が遮られ、照度が低くなっていると考えられる。そのため、Ｓ４０２で発生したと判定した近接検知信号は実際にファインダー２０１を使用していることで発生したものであると判定し、Ｓ４０５へ進む。反対に、Ｓ４０３で取得した照度値が所定の閾値より大きい場合は、Ｓ４０２で発生したと判定した近接検知信号は外乱光の赤外成分による誤検知信号であると判定し、近接検出動作を続行する。
【００２７】
Ｓ４０５では、Ｓ４０４でファインダー２０１への接眼状態であると判定されたため、表示装置１１１のバックライト照明部１１３の光による眩しさ低減、及び省電力化のため、表示装置１１１を消灯状態にする。また、接眼状態でユーザーの鼻が表示装置１１１(タッチパネル)に触れることによる誤操作を防止するため、タッチパネルへの少なくとも一部分へのタッチ入力を受け付けない状態に変更する。
【００２８】
Ｓ４０６では、システム制御部１０５は、近接検知装置１１４から離顔検知信号が出力されたかどうかを判定する。離顔検知信号が出力された場合は、ファインダー２０１から、ユーザーの顔が離れたことを示すため、Ｓ４０７へ進む。離顔検出信号が検出されなかった場合は、まだファインダー２０１を使用している状態であるため、表示装置１１１は消灯状態のままにする。
Ｓ４０７では、Ｓ４０６でファインダー２０１から顔が離れたことが検知されたため、システム制御部１０５は、表示装置１１１を点灯状態にする。また、表示装置１１１(タッチパネル)へのタッチ入力を受け付つける状態に変更する。その後、Ｓ４０２に戻って近接検出動作を再開する。
【００２９】
以上、第１の実施形態の撮像装置１００において、外乱光の影響で近接検知装置１１４が誤動作した際の表示装置誤消灯防止の手法を述べた。
本実施形態においては、前述したように、近接検知装置１１４の近接判定の有無に加えて、照度検出装置１１５によって検出された照度の大きさを用いることで、外乱光の赤外成分によって近接検知装置１１４が誤検知したかどうかを見極めることが可能になる。その結果、ファインダー２０１を使用していないにも関わらず、表示装置１１１を消灯状態にしてしまうといった誤動作や、タッチパネルへの入力を受け付けない状態にしてしまうといった誤動作を防止することが可能になる。
【００３０】
図５（ａ）、（ｂ）、（ｃ）に近接検知信号と照度値に応じて制御される表示装置１１１の表示状態の一例を示す。
図５（ａ）は、近接検知信号が発生し、照度値が閾値以下である場合である。このような場合は、被検出物体３０７がファインダー２０１に接近することにより近接検知信号が正常に発生したことを示し、システム制御部１０５は、バックライト照明部１１３をオフ動作させるので、表示装置１１１は消灯状態である。
【００３１】
図５（ｂ）は、近接検知信号が発生し、照度値が大きい場合である。このような場合は、被検出物体３０７がファインダー２０１に接近していないにも関わらず、赤外受光量が閾値を超えた場合である。これは、外光照度が極端に大きい場合に発生する誤検出である。本実施形態の撮像装置１００においては、外光に含まれる赤外光を、赤外発光素子３０２が照射した赤外光が被検出物体３０７に反射した赤外光と誤検知して近接検知信号を誤って発生させたと判定することができる。このため、システム制御部１０５は、バックライト照明部１１３をオン動作させるので、表示装置１１１は点灯状態である。
【００３２】
図５（ｃ）は、近接検知信号が発生していない場合である。このような場合には、システム制御部１０５は、バックライト照明部１１３をオン動作させるので、表示装置１１１は点灯状態である。
【００３３】
（第２の実施形態）
以下、図６のフローチャートを参照して、本発明の第２の実施形態の撮像装置１００について説明する。第２の実施形態においては、外乱光の影響で近接検知装置１１４が誤動作した際の表示装置誤消灯防止について、省電力も兼ねた手法について説明する。図６の処理は、不揮発性メモリ１１０に記録されたプログラムを、メモリ１０６に展開してシステム制御部１０５が実行することにより実現する。
【００３４】
Ｓ６０１では、システム制御部１０５は、照度検出装置１１５を制御して照度検出動作を開始する。ここでは、近接検知装置１１４による近接検出動作は開始しない。
Ｓ６０２では、ある所定の間隔でシステム制御部１０５が照度検出装置１１５によって検出された照度値を取得し、メモリ１０６に格納する。
【００３５】
次に、Ｓ６０３では、システム制御部１０５は、Ｓ６０２で取得した照度値が所定の閾値以下であるかを判定する。ここで、照度値が閾値以下である場合、外乱光によって近接検知装置１１４が誤検知を起こさない状態であると判断できるため、Ｓ６０４に進む。反対に、Ｓ６０２で取得した照度値が所定の閾値より大きいと判定した場合には、外乱光によって近接検知装置１１４が誤検知を起こす可能性があるため、近接検知は開始せず、Ｓ６０２に戻り、所定間隔で照度値の取得を行う。すなわち、ここではまだ赤外発光素子３０２からの赤外光の照射をせず、受光素子３０５での受光も行わない。
【００３６】
Ｓ６０４では、システム制御部１０５は、近接検知装置１１４を制御して、近接検出動作を開始する。すなわち、ここで赤外発光素子３０２からの赤外光の照射を開始し、受光素子３０５での受光も開始する。
【００３７】
Ｓ６０５では、システム制御部１０５は、近接検知装置１１４から近接検知信号が出力されたかどうかを判定する。ここで、近接検知信号が出力されたと判定した場合、ファインダー２０１を使用していると考えられるため、Ｓ６０６へ進む。反対に、近接検知信号が出力されなかった場合は、表示装置１１１は点灯状態のまま、近接検出動作を続行する。
【００３８】
Ｓ６０６では、表示装置１１１のバックライト照明部１１３の光による眩しさ低減、及び省電力化のため、システム制御部１０５は、バックライト照明部１１３をオフ動作させて表示装置１１１を消灯状態にする。また、表示装置１１１（タッチパネル）へのタッチ入力を受け付けない状態に変更する。
【００３９】
Ｓ６０７では、システム制御部１０５は、近接検知装置１１４から離顔検知信号が出力されたかどうかを判定する。離顔検知信号が出力された場合は、ファインダー２０１から、ユーザーの顔が離れた状態になったことを示すため、Ｓ６０８へ進む。離顔検出信号が検出されなかった場合は、まだファインダー２０１を使用している状態であるため、表示装置１１１は消灯状態のままにする。
【００４０】
Ｓ６０８では、Ｓ６０７でファインダー２０１から顔が離れたことが検知されたため、システム制御部１０５は、バックライト照明部１１３をオン動作させて表示装置１１１を点灯状態にする。また、表示装置１１１（タッチパネル）へのタッチ入力を受け付ける状態に変更する。さらに、近接検知装置１１４を制御し、近接検出動作を停止させ、Ｓ６０２に戻り、所定間隔で照度値の取得を行う。
【００４１】
以上、第２の実施形態による、外乱光の影響で近接検知装置１１４が誤動作した際の表示装置誤消灯防止、及び省電力も兼ねた手法を説明した。
このように、まず照度検出装置１１５のみを動作させ、照度検出装置１１５により取得した照度値が所定の閾値以下の場合にのみ、近接検知装置１１４を動作させる制御とすることで、照度値を加味した近接検知を行いつつ、省電力を図ることができる。
【００４２】
（第３の実施形態）
以下、図７を参照しながら本発明の第３の実施形態を説明する。
図７は、本発明を携帯電話に適用した例を説明する図である。
図７において、７００は携帯電話端末（スマートフォン）、７０１は通話用スピーカー、７０２は近接検知装置である。近接検知装置７０２は、通話用スピーカー７０１に耳が近づいたことを検知するためのものであり、前述した実施形態の近接検知装置１１４と同様に構成されている。７０３は照度検出装置であり、前述した照度検出装置１１５と同様に構成されている。７０４は通話用マイクロフォン、７０５は操作ボタン、７０６は表示部であり座標を感知する透明のパネルをディスプレイの上にかぶせたタッチパネルで構成されている。
【００４３】
前述のように構成された通話用スピーカー７０１を有する携帯電話端末７００において、通話するために耳を通話用スピーカー７０１に近づけると、近接検知装置７０２により物体の接近が検出される。物体の接近が検出されると、通話時のまぶしさ防止と、省電力のために、表示部７０６を点灯状態から消灯状態にする表示制御が、携帯電話端末７００の内部に設けられているシステム制御部（図示せず）により行なわれる。携帯電話端末７００により行なわれる表示制御は、バックライト照明をオン／オフ制御する他に、表示部７０６の輝度を調整する輝度調整制御や、表示部７０６を非表示とする制御でもよい。また、通話者の顔が表示部７０６に触れることによって意図しないタッチ入力がなされることによる誤動作を防止するため、表示部７０６（タッチパネル）へのタッチ入力を受け付けない状態への変更がシステム制御部により行われる。
【００４４】
前述の携帯電話端末７００でも、外乱光に含まれる赤外成分のために近接検知装置７０２が誤検知を起こすことがある。例えば、ユーザーが耳を通話用スピーカー７０１に近づけていないにも関わらず、表示部７０６が消灯してしまったり、タッチ入力ができない状態に変更されてしまったりすることが考えられる。この場合にも、本発明の第１の実施形態及び第２の実施形態で説明した表示制御方法を適用すればよい。これにより、外乱光に含まれる赤外成分のために近接検知装置７０２が誤検知して表示部７０６を消灯してしまうことや、タッチ入力ができない状態になってしまうことを防止することができ、操作性を落とさずにすむ。すなわち、近接検知装置７０２から出力された近接検知信号を取得しても、照度検出装置７０３で検出された照度が所定の値を超える場合は表示部７０６を消灯せず、タッチ入力の受け付けも禁止しない。また、近接検知装置７０２から出力された近接検知信号を取得し、かつ、照度検出装置７０３で検出されている照度が所定の値以下である場合に、表示部７０６を消灯し、タッチ入力の受け付けも禁止するように制御する。あるいは照度検出装置７０３で検出されている照度が所定の値を超えている間は、近接検知装置７０２での近接検知動作自体をしないように制御する。
【００４５】
なお、照度検出装置７０３は、表示部７０６の輝度を外光照度に応じて調節する際に用いる照度検出装置と兼用であってもよい。あるいは、折りたたみ式の携帯電話や、表示角度および向きを変更できるバリアングルモニタを備えた撮像装置に用いる。そして、表示部７０６の表示面が他方の筺体に対向するように折り畳まれた状態（閉じ状態）であるか、表示面が露出する開き状態か否かを判別するための照度検出装置と兼用であってもよい。また、開閉自在に取り付けられた一方の筐体と他方の筺体とから構成されていて、照度検出装置で検出された照度に応じて表示部が開状態であるか閉状態であるかを判別する判別部を設けるようにしてもよい。
【００４６】
なお、システム制御部１０５の制御は、１つのハードウェアが行ってもよいし、複数のハードウェアが処理を分担することで撮像装置１００全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、前述した各実施形態は本発明の一実施形態を示すものにすぎず、各実施形態を適宜組み合わせることも可能である。
【００４７】
また、前述した実施形態においては、本発明を撮像装置、携帯電話端末に適用した場合を例にして説明したが、これらの例に限定されず、照度検出装置と近接検知装置と表示装置を備えた機器であれば適用可能である。すなわち、本発明はパーソナルコンピュータやＰＤＡ、携帯型の画像ビューワ、ディスプレイを備えるプリンタ装置、デジタルフォトフレーム、音楽プレーヤー、ゲーム機、電子ブックリーダーなどに適用可能である。
【００４８】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４９】
１００  撮像装置、１０１  撮像素子、１０２  Ａ／Ｄ変換部、１０３  画像処理部、１０４  メモリ制御部、１０５  システム制御部、１０６  メモリ、１０７  レリーズスイッチ、１０８  モードダイアル、１０９  操作部、１１０  不揮発性メモリ、１１１  表示装置、１１２  液晶パネル表示部、１１３  バックライト照明部、１１４  近接検知装置、１１５  照度検出装置、１１６  外部着脱メモリ部、２０１  ファインダー
【図１】
2013125196.tif 000003
【図２】
2013125196.tif 000004
【図３】
2013125196.tif 000005
【図４】
2013125196.tif 000006
【図５】
2013125196.tif 000007
【図６】
2013125196.tif 000008
【図７】
2013125196.tif 000009